(57)【要約】【課題】ユーザに不快感を起こさず適切な音量で放音を行う。【解決手段】受話音を出力する受話器１０７、および受話音以外の音を出力するスピーカ１０９の少なくともいずれか１つの出力手段と、表示部の表示パネルが振動して該表示パネルから音を出力する、受話音および受話音以外の音を出力するパネルスピーカ１０８と、出力手段およびパネルスピーカの出力音量を設定する設定手段１１２と、この設定手段による出力音量の設定に基づいて、前記出力手段と前記パネルスピーカとを切り換えて、少なくともいずれか一方から音声を出力する制御を行う制御手段１１０と、を備える。【選択図】      図１
2006245693.tif 000002
【特許請求の範囲】
【請求項１】
受話音を出力する受話器、および受話音以外の音を出力するスピーカの少なくともいずれか１つの出力手段と、
表示部の表示パネルが振動して該表示パネルから音を出力するパネルスピーカと、
前記出力手段および前記パネルスピーカの出力音量を設定する設定手段と、
この設定手段による出力音量の設定に基づいて、前記出力手段と前記パネルスピーカとを切り換えて、少なくともいずれか一方から音声を出力する制御を行う制御手段と
を具備することを特徴とする電話機。
【請求項２】
表示部の表示パネルが振動して該表示パネルから音を出力するパネルスピーカと、
着信音またはアラーム音のいずれかを出力しようとする場合に、前記パネルスピーカの振動面が外界に向いているか否かを判定する判定手段と、
この判定手段により前記振動面が外界に向いていると判定された場合には、或るしきい値よりも小さな音量で前記パネルスピーカから音を出力し始めるように制御する制御手段と
を具備することを特徴とする電話機。
【請求項３】
前記判定手段は、電話機が折り畳み式である場合には、折り畳み状態である場合を、前記パネルスピーカの振動面が外界に向いていないとみなすことを特徴とする請求項２に記載の電話機。
【請求項４】
表示部の表示パネルが振動して該表示パネルから音を出力するパネルスピーカと、
着信音またはアラーム音のいずれかを出力しようとする場合に、前記パネルスピーカと使用者の耳との間の距離が所定距離以下であるか否かを検出する検出手段と、
この検出手段が検出する前記距離が所定距離以下であると検出された場合には、所定値以下の音量で前記パネルスピーカから音を出力する制御を行う制御手段と、
を具備することを特徴とする電話機。
【請求項５】
前記制御手段は、或るしきい値として、人間が不快に思わない程度の音量を統計的に求めた値を採用することを特徴とする請求項２から請求項４のいずれか１項に記載の電話機。
【請求項６】
前記制御手段は、所定値として、前記電話機のユーザが設定した値を採用することを特徴とする請求項２から請求項４のいずれか１項に記載の電話機。
【発明の詳細な説明】
【技術分野】
【０００１】
本発明は、表示器を有する電話機に関して、特に、表示器をパネルスピーカとしても利用可能な電話機に関する。
【背景技術】
【０００２】
近年、携帯無線電話機等で利用されつつあるパネルスピーカは、パネル近傍に配置される振動子が振動することによってパネルが振動して、パネルから音を発生する。パネルスピーカは、音響出力が周波数にほとんど依存せず、無指向性で音を放射する特性がある。また、パネルスピーカは、通常のスピーカに比較して、距離によるパワーロスが非常に少なく、音が遠くまで届くという特性もある。
【０００３】
逆に言えば、パネルスピーカは、通常使用されているスピーカや受話器に比べ音が大きく聞こえる傾向がある。パネルスピーカを搭載した現状の電話機には、パネルスピーカからの不用意な着信音やアラーム等の放音を未然に防止する手段が無く、ユーザがスピーカの音量が大きすぎて不快に感じる可能性が高い。
【０００４】
従来、音量に対してユーザが不快を感じず安心して使用することが可能であるとしている電話機がある（例えば、特許文献１参照）。この電話機は、着信を検出したとき、受信待機状態の可否を判定し、受信待機状態以外であれば、設定音量に関わらず、その設定音量よりも小さい音量で着信音を鳴らす。
【特許文献１】特開２０００−２０９３０６公報
【発明の開示】
【発明が解決しようとする課題】
【０００５】
しかしながら、従来の技術では、パネルスピーカを搭載した電話機から放音される音量をユーザに不快を感じさせないように適切に制御することはできない。
【０００６】
そこで、本発明は、上述した課題を解決するためになされたものであり、ユーザに不快感を起こさず適切な音量で放音を行う、パネルスピーカ付きの電話機を提供することを目的とする。
【課題を解決するための手段】
【０００７】
本発明の電話機は、受話音を出力する受話器、および受話音以外の音を出力するスピーカの少なくともいずれか１つの出力手段と、表示部の表示パネルが振動して該表示パネルから音を出力するパネルスピーカと、前記出力手段および前記パネルスピーカの出力音量を設定する設定手段と、この設定手段による出力音量の設定に基づいて、前記出力手段と前記パネルスピーカとを切り換えて、少なくともいずれか一方から音声を出力する制御を行う制御手段と、を具備することを特徴とする。
【０００８】
本発明の電話機は、表示部の表示パネルが振動して該表示パネルから音を出力するパネルスピーカと、着信音またはアラーム音のいずれかを出力しようとする場合に、前記パネルスピーカの振動面が外界に向いているか否かを判定する判定手段と、この判定手段により前記振動面が外界に向いていると判定された場合には、或るしきい値よりも小さな音量で前記パネルスピーカから音を出力し始めるように制御する制御手段と、を具備することを特徴とする。
【０００９】
本発明の電話機は、表示部の表示パネルが振動して該表示パネルから音を出力するパネルスピーカと、着信音またはアラーム音のいずれかを出力しようとする場合に、前記パネルスピーカと使用者の耳との間の距離が所定距離以下であるか否かを検出する検出手段と、この検出手段が検出する前記距離が所定距離以下であると検出された場合には、所定値以下の音量で前記パネルスピーカから音を出力する制御を行う制御手段と、を具備することを特徴とする。
【発明の効果】
【００１０】
本発明のパネルスピーカ付きの電話機によれば、ユーザに不快感を起こさず適切な音量で放音を行うことが可能になる。
【発明を実施するための最良の形態】
【００１１】
以下、図面を参照しながら本発明の実施形態に係る電話機について詳細に説明する。
【００１２】
本実施形態の電話機の一例として携帯無線電話機を挙げ、図１を参照して説明する。
【００１３】
本実施形態の携帯無線電話機１００は、図１に示すように、パネルスピーカ１０８を備え、その制御を制御回路１１０および音量設定回路１１２によって行うことが特徴であり、その他に、アンテナ１０１、ＲＦ（radio frequency）／ＩＦ（intermediate frequency）部１０２、変復調部１０３、デジタル信号処理回路１０４、音声信号処理回路１０５、マイクロフォン１０６、受話器１０７、スピーカ１０９、音発生回路１１１、表示器１１３、ＰＬＬ回路１１４、キー回路１１５、ＲＯＭ（read-only memory）１１６、ＲＡＭ（random-access memory）１１７を備えている。
【００１４】
アンテナ１０１は、例えば、携帯無線電話機１００と、基地局または親機との間で無線信号をやり取りする。ＲＦ／ＩＦ部１０２は、アンテナ１０１で送受信される無線信号の周波数変換をする。変復調部１０３は、携帯無線電話機１００からの送信信号を変調する、または携帯無線電話機１００への受信信号を復調する。デジタル信号処理回路１０４は、デジタルの送信信号をアナログの送信信号に変換し、アナログの受信信号をデジタルの受信信号に変換する。また、デジタル信号処理回路１０４は、例えば、送信信号の場合に変調のために必要な前処理、受信信号の場合に音声信号処理のための必要な前処理を行う。
【００１５】
音声信号処理回路１０５は、デジタル信号処理回路１０４から出力されるデジタル音声信号を復号化してアナログ音声信号に変換する。また、音声信号処理回路１０５は、マイクロフォン１０６から入力するアナログ音声信号をＡＤＰＣＭ（adaptive differential pulse code modulation）またはＰＣＭ変換してデジタル信号に変換する。音声信号処理回路１０５は、Ｄ／Ａ（digital-to-analog）変換されたアナログ信号を通常の受話器１０７またはパネルスピーカ１０８に出力する。
【００１６】
受話器１０７は通話相手の音声（受話音）を出力し、パネルスピーカ１０８は、例えば、着信音、携帯無線電話機１００の電池残量が少なくなった場合に発生するアラーム音、動画と連動した音楽等を出力する。
【００１７】
パネルスピーカ１０８は、パネル近傍に配置される振動子が振動することによってパネルが振動して、パネルから音を発生させる。パネルスピーカ１０８は、例えば、表示器１１３に接続していて、表示画面が振動して表示画面から音を発生する。パネルスピーカ１０８は、通常のスピーカ１０９、受話器１０７と比較して音が遠くまで届き、無指向性であるため、通常のスピーカ１０９、受話器１０７と比較して大音量を発生することが可能であり音漏れがしやすい。
【００１８】
また、パネルスピーカ１０８は、受話器１０７が出力する種類の音を発生し、スピーカ１０９が出力する種類の音を発生する。すなわち、パネルスピーカ１０８は受話器１０７とスピーカ１０９の役割を兼ねている。例えば、パネルスピーカ１０８は、受話器１０７として相手からの音声を出力し、スピーカ１０９として着信音や電池欠乏時にユーザにしらせるためのアラーム音を出力する。また、受話器１０７およびスピーカ１０９を取り外してこれらの代用として、携帯無線電話機１００にパネルスピーカ１０８だけを設置してもよい。
【００１９】
制御回路１１０は、ＲＯＭ１１６に書き込まれたプログラムに従い、キー回路１１５の出力信号で各種モードを実行するとともに、デジタル信号処理回路１０４との間で制御データを、ＲＡＭ１１７との間で各種データを授受して基地局との間で発呼または着呼などの処理を実行させる。制御回路１１０の動作については後に図３、図４、図６を参照して説明する。
【００２０】
音発生回路１１１は、制御回路１１０の制御を基にして、着信音、アラーム音、音楽等の音源信号を出力する。音量設定回路１１２は、制御回路１１０により設定音量を制御して、通常の受話器１０７、パネルスピーカ１０８、または通常のスピーカ１０９に、設定された音量で受話音または着信音等を発生させる。また、受話器１０７とスピーカ１０９とは異なる音量設定回路（図示せず）で音量が設定されてもよい。
【００２１】
表示器１１３は、動画または静止画を表示する。なお、表示器１１３にはパネルスピーカ１０８が設置されており、表示器１１３の表示画面が振動して表示画面から音が発生する。
【００２２】
ＰＬＬ回路１１４は、制御回路１１０からの指示に基づき、ＲＦ／ＩＦ部１０２の受信周波数、送信周波数を変更する。
【００２３】
キー回路１１５は、携帯無線電話機１００をユーザが操作するためのものであり、例えば、オンフック・オフフックキー、テンキー、アップダウンキー、ファンクションキーを含んでいる。着信音、アラーム音等の音量設定は、ファンクションキーにより着信音またはアラーム音などの音量設定モードにし、アップダウンキーで行う。受話音の設定は通話中にアップダウンキーで行う。これら設定された音量はＲＡＭ１１７に格納される。
【００２４】
ＲＯＭ１１６は、制御回路１１０によって実行されるプログラムを格納している。また、ＲＡＭ１１７は、制御回路１１０が実行するプログラムで使用されるデータ等を格納している。
【００２５】
本実施の形態では、本発明の電話機の一例として携帯無線電話機を用いて説明したが、携帯無線電話機に限定されず、パネルスピーカを搭載した電話機であれば、本発明はどんな電話機にでも適用することができる。
【００２６】
（音量設定のレベル）
次に、携帯無線電話機１００の動作の一例について図２、図３を参照して説明する。この例では、携帯無線電話機が、パネルスピーカ専用の音量レベルに設定されている場合にのみ、パネルスピーカの使用を可能とし、この音量設定以外ではパネルスピーカの使用を不可とする。
【００２７】
このようにパネルスピーカの使用を管理しておけば、ユーザはパネルスピーカ専用に音量レベルに設定されているか否かを認識しているので、ユーザが、スピーカの音量が大きすぎて不快に感じることはなくなる。
【００２８】
図２は、表示器１１３に示される音量設定モード設定画面の一例である。この図２における音量設定モードは、２種類のモードである特音量モード２０１と通常モード２０２から成っている。特音量モード２０１に設定されている場合は、パネルスピーカ１０８から音が出力される。通常モード２０２に設定されている場合は、受話器１０７またはスピーカ１０９から音が出力される。
【００２９】
特音量モード２０１は、図２に示すように、例えば、３つの音量設定レベルがあり、通常モード２０２は、例えば、５つの音量設定レベルがある。これらの音量設定モードは、図２に示したインジケータの大きさによって音量の大きさが設定される。図２の例では、レベル１が最も音量が小さく、レベル２、３と進むにしたがって音量が徐々に大きくなり、特音量３で最も音量が大きくなる。特音量モード２０１の最小の音量である特音量１は、ユーザが耳に不快を感じない程度の音量に設定しておくことが望ましい。
【００３０】
また、音量設定モード画面は、例えば、まず特音量モード２０１と通常モード２０２のどちらかからモードを選択して、その後、モード内の音量レベルを設定することができるようなものでもよい。
【００３１】
次に、図３のフローチャートにより携帯電話無線機１００の動作を説明する。
【００３２】
現状の電話機は、音声を相手との間でやり取りするだけでなく、例えば、メールのやり取り、音楽またはテレビを視聴する、電池欠乏時を知らせる等の多彩な機能があるものがある。したがって、現状の電話機は、従来からの電話機のように着信音（または着信を知らせる音楽やメッセージ）、通話時の通話相手の音声だけを扱うわけでなく、メール着信音、音楽またはテレビの視聴時の音声、電池欠乏時のアラーム音等の多様な用途の異なる音を扱う。
【００３３】
制御回路１１０が、受話音、着信音、アラーム音、または、音楽を受話器１０７、パネルスピーカ１０８、スピーカ１０９の少なくともいずれか１つから出力する場合の処理を開始する（ステップＳ３０１）。制御回路１１０が、ＲＡＭ１１７を参照してユーザにより設定される音量が特音量モード２０１に設定されているか否かを判定する（ステップＳ３０２）。制御回路１１０が特音量モード２０１に設定されていると判定した場合にはステップＳ３０３に進み、一方、設定されていないと判定した場合にはステップＳ３０４に進む。
【００３４】
ステップＳ３０３では、制御回路１１０が音発生回路１１１に音を発生させ特音量モード２０１で設定されている音量でパネルスピーカ１０８から音を出力させる。ステップＳ３０４では、制御回路１１０が音発生回路１１１に音を発生させ通常モード２０２で設定されている音量で受話器１０７またはスピーカ１０９から音を出力させる。
【００３５】
また、制御回路１１０が表示器１１３に、現在の音量設定モードまたは現在使用可能なスピーカの種類を表示するように制御してもよい。このようにすれば、ユーザは表示画面を観察することによりパネルスピーカが使用可能か否かをいつでも容易に確認することができる。
【００３６】
（パネルスピーカの露出）  
次の例は、パネルスピーカが、ユーザが可視可能な位置に露出していて、さらに、ユーザの耳にパネルスピーカが近い場合にパネルスピーカから突然の大音量が出力されないよう制御する。着信音やアラーム音は、ユーザが予想しない時に突然発生する場合が多く、このようなユーザが予想しない突然発生する音は、ユーザを驚かせ不快にする可能性が高い。パネルスピーカが該位置に露出しているとは、パネルスピーカの音声を出力する振動面が外界に向いていることを示している。この状態では、パネルスピーカから空気中を媒体として大きな音が出やすい。
【００３７】
この例は、受動的（すなわち、ユーザが行った行為に起因しない）着信音やアラーム音が発生する場合の制御についてであって、能動的（すなわち、ユーザが行った行為に起因する）場合は「突然発生する音」はあり得ないのでこの様な制御は行わない。
【００３８】
＜パネル開閉＞
まず、折り畳み式の携帯無線電話機の場合について図４を参照して説明する。
【００３９】
制御回路１１０が、着信音、または、アラーム音を受話器１０７、パネルスピーカ１０８、スピーカ１０９のうちのパネルスピーカ１０８から出力する場合の処理を開始する（ステップＳ４０１）。制御回路１１０が、着信音、または、アラーム音を鳴らす必要があるか否かを判定する（ステップＳ４０２）。制御回路１１０が鳴らす必要があると判定した場合にはステップＳ４０３に進み、鳴らす必要がないと判定した場合には他の処理に進む。ステップＳ４０２では、制御回路１１０がタイマー（図示せず）で取得した或る時間間隔で定期的に判定してもよいし、着信音、または、アラーム音を鳴動させる命令を制御回路１１０が受け取った場合にステップＳ４０３に進むように設定されていてもよい。
【００４０】
ステップＳ４０３では、制御回路１１０が、パネルスピーカが露出しているか否か判定する。一般的な折り畳み式の携帯無線電話機ではパネルスピーカが露出しているとは携帯無線電話機本体が開いている状態（折り畳みパネルが開いている状態）に対応する。しかし、本実施形態では、電話機本体が開いている状態か否かで制御を変えることが本質的ではなく、パネルスピーカが露出してユーザの耳に近い可能性が高いか否かで制御を変えることが本質的である。
【００４１】
ステップＳ４０３で、制御回路１１０が、パネルスピーカが露出していると判定した場合にはステップＳ４０４に進み、一方、露出していない（例えば、電話機本体が閉じている、すなわち、折り畳みパネルが閉じている）と判定した場合にはステップＳ４０５に進む。ステップＳ４０４では、例えば、制御回路１１０が音量設定回路１１２にパネルスピーカ１０８の音量を徐々に増大させるように設定させる。もちろん、音量を徐々に増大させることに限定しない。パネルスピーカ１０８から最初に発生する音の音量が小さいことが重要である。この音量は、音が突然鳴っても、パネルスピーカ１０８を耳に付けたユーザが驚かず不快にもならない程度の音量であり、ユーザによって予め設定されてもよい。また、パネルスピーカ１０８から最初に発生する音の音量は、製品出荷時には、統計的にまず誰もが驚かず不快にもならない程度の音量に設定しておく。このように、パネルスピーカ１０８からは最初に小さい音量の音が発生するので、音が突然鳴ってもユーザは驚くこともなく、不快にもならない。
【００４２】
ステップＳ４０５では、制御回路１１０は音量設定回路１１２にユーザが設定してあった音量で音を発生させる。パネルスピーカ１０８からは最初から大きな音が発生することもある。この場合はパネルスピーカ１０８が露出していないので、突然音が鳴ってもユーザの耳にパネルスピーカ１０８から音が直接到達することはないので、音が突然鳴ってもユーザが驚かず不快にもならない。
【００４３】
＜パネルスピーカ１０８と耳との距離＞
次の例では、パネルスピーカ１０８とユーザの耳との距離が近い場合にパネルスピーカから突然の大音量が出力されないようにする。図５にこの場合の電話機５００のブロック図を示す。電話機５００は図１の携帯無線電話機１００に光学センサ５０１を追加したものである。
【００４４】
光学センサ５０１は、一定距離内にある物体の存在を検知するための装置である。本実施形態の携帯無線電話機５００の場合では、パネルスピーカ１０８から耳までの距離がある一定の距離以下になると、光学センサ５０１は、パネルスピーカ１０８がユーザの耳から近い位置に位置すると判断する。このように判断される場合は、パネルスピーカからの突然の音で驚いてしまうくらいの場所に耳が位置している場合であるように光学センサ５０１の感度を調整しておく。この感度は、ユーザによって調整することができるように設定されていてもよい。また、製品出荷時には、上記の統計的に決定された音量で、統計的にまず誰も驚かず不快にもならない程度の感度に設定しておく。
【００４５】
次に、携帯無線電話機５００の動作の一例について図６を参照して説明する。図４に示したフローチャートと同様なステップは同一の番号を付してその説明を省略する。
【００４６】
ステップＳ４０２では、制御回路１１０が着信音、または、アラーム音を鳴らす必要があると判定した場合にはステップＳ６０１に進み、鳴らす必要がないと判定した場合には他の処理に進む。
【００４７】
ステップＳ６０１では、光学センサ５０１が、パネルスピーカ１０８がユーザの耳から近い位置に位置しているか否かを判断し、パネルスピーカ１０８がユーザの耳から近い位置に位置すると判断場合にはステップＳ４０４に進み、該判断をしなかった場合にはステップＳ４０５に進む。
【００４８】
＜その他＞
表示器１１３の表示画面上に発信可能画面が表示されている場合には、上記のステップＳ４０３（「パネル開」）およびステップＳ４０４、またはステップＳ６０１（「光センサが、パネルスピーカ１０８がユーザの耳から近い位置に位置しているかを判断」）およびステップＳ４０４に対応させてもよい。すなわち、発信可能画面が表示されている場合は着信音やアラーム音の音を小さくする。発信可能画面とは、例えば、発信履歴画面、着信履歴画面、アドレス帳などである。 
以上に示した実施形態によれば、ユーザがパネルスピーカから音声を発生するように音量を調整したり、パネルスピーカが露出しているか否か（もしくはパネルスピーカがユーザの耳に近くにあるか否か）を判定して音量を調整することによって、ユーザに不快感を起こさず適切な音量で放音を行うことができる。
【００４９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５０】
【図１】本発明の実施形態に係る電話機のブロック図。
【図２】図１に表示される音量設定モード画面の一例を示す図。
【図３】図１の電話機の動作の一例を示すフローチャート。
【図４】図１の電話機の動作の別の一例を示すフローチャート。
【図５】図１の電話機に光学センサを新たに設けた電話機のブロック図。
【図６】図５の電話機の動作の一例を示すフローチャート。
【符号の説明】
【００５１】
１００、５００…携帯無線電話機、１０１…アンテナ、１０２…ＲＦ／ＩＦ部、１０３…変復調部、１０４…デジタル信号処理回路、１０５…音声信号処理回路、１０６…マイクロフォン、１０７…受話器、１０８…パネルスピーカ、１０９…スピーカ、１１０…制御回路、１１１…音発生回路、１１２…音量設定回路、１１３…表示器、１１４…ＰＬＬ回路、１１５…キー回路、１１６…ＲＯＭ、１１７…ＲＡＭ、２０１…特音量モード、２０２…通常モード、５０１…光学センサ。
【図１】
2006245693.tif 000003
【図２】
2006245693.tif 000004
【図３】
2006245693.tif 000005
【図４】
2006245693.tif 000006
【図５】
2006245693.tif 000007
【図６】
2006245693.tif 000008